(57)【要約】【課題】少なくとも１つの空調機と床下空間を使用することで、建物内部のすべての部屋を効率良く暖冷房できるようにした空調装置を備えた建物において、空調機から送り込まれる暖気又は冷気などによって、床材に用いた無垢の天然木質床材に反り、ひび割れ、ささくれなどが発生するのを大幅に低減できる床構造を提供する。【解決手段】床材３によって仕切られる床下空間４に空調機８から暖気又は冷気を送り、流通させて床下空間４を暖めたり冷やしたりし、床下空間４に流通している暖気又は冷気を床材３に伝熱させ、床材３からの輻射熱を利用して室内空間４を空調する空調装置を備えた建物において、床材３が無垢の天然木質床材で構成されているとともに、床材３の床下空間４に臨む下面部分の全面に乾燥防止層５０を形成した。【選択図】図１
0003155690.tif 000002
【実用新案登録請求の範囲】
【請求項１】
床材によって仕切られる床下空間に暖気又は冷気を送り込む空調機を有し、前記床下空間に流通する暖気又は冷気を前記床材に伝熱させ、該床材からの輻射熱を利用して前記室内空間を空調する空調装置を備えた建物の床構造であって、
前記床材は、無垢の天然木質床材で構成されているとともに、
前記床材の前記床下空間に臨む表面部分の全面に、乾燥防止層を形成したことを特徴とする建物の床構造。
【請求項２】
前記床材は、杉材、欅材、檜材、花梨材、胡桃材、楢材、樺材、桜材、椛材、楓材、ぶな材、栗材、桐材、チーク材、パイン材、ローズ材、タガヤサン材、ストロングウッド材、タモ材、パープルハート材、イペ材、セランガンバツ材、ピンカド材、及びケンパス材及びこれら床材に匹敵する木質を有する無垢の天然木質素材から選ばれた少なくとも一種類の床材若しくはこれらの組み合わせからなることを特徴とする請求項１に記載の建物の床構造。
【請求項３】
前記乾燥防止層は、ポリオレフィン系樹脂シート、塩化ビニル系樹脂シート、塩化ポリビニリデン系樹脂シート、アクリル系樹脂シート、天然または合成ゴムシートから選ばれた少なくとも一つのシートからなることを特徴とする請求項１又は請求項２のいずれかに記載の床構造。
【請求項４】
前記乾燥防止層は、エポキシ系やウレタン系などの液状の樹脂や合成ゴムなどを塗布または吹付けして成膜・硬化させてなる膜であることを特徴とする請求項１又は請求項２のいずれかに記載の床構造。
【請求項５】
前記空調機の暖冷気吹き出し口上位を中心とする周辺に位置する床下空間の前記乾燥防止層と共に断熱材が配置されていることを特徴とする請求項１ないし請求項４のいずれかに記載の建物の床構造。
【請求項６】
床材によって仕切られる床下空間に暖気又は冷気を送り込む空調機を有し、前記床下空間に流通する暖気又は冷気を前記床材に伝熱させ、該床材からの輻射熱を利用して前記室内空間を空調する空調装置と、
前記床下空間の空気を室内空間へ移動させることにより空気の滞留し易い箇所を無くし、前記床下空間全体に暖気又は冷気を均一に行きわたらせ、床下空間の温度を円滑に均一にするために、前記床材に配設した開閉調整が可能な流動調整口と、
を備えた建物の床構造であって、
前記床材は、無垢の天然木質床材で構成されているとともに、
前記床材の前記床下空間に臨む表面部分の全面に、乾燥防止層を形成したことを特徴とする建物の床構造。
【請求項７】
前記床材は、杉材、欅材、檜材、花梨材、胡桃材、楢材、樺材、桜材、椛材、楓材、ぶな材、栗材、桐材、チーク材、パイン材、ローズ材、タガヤサン材、ストロングウッド材、タモ材、パープルハート材、イペ材、セランガンバツ材、ピンカド材、及びケンパス材及びこれら床材に匹敵する木質を有する無垢の天然木質素材から選ばれた少なくとも一種類の床材若しくはこれらの組み合わせからなることを特徴とする請求項６に記載の建物の床構造。
【請求項８】
前記乾燥防止層は、ポリオレフィン系樹脂シート、塩化ビニル系樹脂シート、塩化ポリビニリデン系樹脂シート、アクリル系樹脂シート、天然または合成ゴムシートから選ばれた少なくとも一つのシートからなることを特徴とする請求項６又は請求項７のいずれかに記載の床構造。
【請求項９】
前記乾燥防止層は、エポキシ系やウレタン系などの液状の樹脂や合成ゴムなどを塗布または吹付けして成膜・硬化させてなる膜であることを特徴とする請求項６又は請求項７のいずれかに記載の床構造。
【請求項１０】
前記空調機の暖冷気吹き出し口上位を中心とする周辺に位置する床下空間の前記乾燥防止層と共に断熱材が配置されていることを特徴とする請求項６ないし請求項９のいずれかに記載の建物の床構造。
【考案の詳細な説明】
【技術分野】
【０００１】
本考案は、空調機で建物の室内空間を効率良く冷暖房する空調装置を備えた建物に係り、特に床材に無垢の天然木質床材を用いた建物の床構造に関する。
【背景技術】
【０００２】
建物の室内空間を空調するには、通常、空調機の室外機を建物の外部に設置すると共に、室内機を建物の内部に取り付け、当該空調機の室内機から暖気又は冷気を吹き出すことによって室内空間を暖房又は冷房することが行われている。このような空調方法の場合は、室外機と室内機とからなる空調機を各部屋にそれぞれ設置しなければならない。
【０００３】
上記従来の空調装置によると、必要に応じて各部屋別に空調機を使用できるので省エネルギーの面からは好都合であるけれども、部屋数が多い場合には、空調機の数が増えるため経済的負担が大きくなる。
【０００４】
更に、従来の空調装置では、部屋の壁に取り付けた室内機のファンを用いて暖気又は冷気を吹き出し、且つ上下方向や左右方向に動くフィンを介在させて吹出方向を微調整できるようにしてあるが、それでも部屋の内部で温度差が生じ易いという問題があった。
【０００５】
このような温度差の問題を解決する技術としては、従来例えば特許文献１に開示されているように天井放射パネル面を冷却又は加熱して室内の冷暖房を行うようにした天井放射冷暖房装置が知られている。しかしながら、この場合は、季節や天候、人数などの環境で室内の熱負荷は変動するため、快適な室内環境にするためには運転開始後、安定するまで時間が掛かるという課題を解決するためになされた考案であり、立ち上がり時間の短縮や室内の熱負荷にあわせた温度制御が可能であり、短時間で快適性を向上させることができるようにしたものである。
【０００６】
特許文献２には、冷水及び温水の少なくとも一方を熱媒体として流す熱媒体流路と、この熱媒体流路を流れる熱媒体から受熱して放射する放射板とを有する放射パネルを部屋の床に備えている空調装置が開示されている。しかしながら、この場合は、部屋の床全面に放射パネルを敷設しないように構成し、エネルギーの無駄を防ぐと共に床下に設けたＯＡ機器の配線等の保守及び点検ができるようにしたものである。
【０００７】
ところで、上記のような冷暖房装置や空調装置とは全く異なる発想に基づき、例えば各部屋に空調機をそれぞれ設けることなく少なくとも１つの空調機を使用することで、建物内部のすべての部屋を効率良く冷暖房することができ、かつ、部屋の内部で生じ易い温度差を抑えられるようにした空調装置の開発が、本願出願人に係る考案者らによって検討されている。
即ち、床下空間に暖気又は冷気を送り込み、流通させて床下空間を暖めたり、冷やしたりし、この床下空間に流通している暖気又は冷気を床材に伝熱させ、その床材からの輻射熱を利用して室内空間を空調する構成の空調装置が検討されている。
【先行技術文献】
【特許文献】
【０００８】
【特許文献１】特開２００６−２５８３７７
【特許文献２】特開２００６−２１４６９５
【考案の開示】
【考案が解決しようとする課題】
【０００９】
そもそも、無垢の天然木質床材は、時間の経過と共に変形や割れなどが発生しやすい特徴をもつが、この構成の空調装置を設けた建物にあっては、無垢の天然床材に含まれる水分が、床下空間に流れる暖気による加熱と乾燥作用又は低湿度の冷気による乾燥作用によって、床下空間に臨む床材下面から奪われてしまうおそれがある。この場合、床材に無垢の天然木質床材を用いている場合には、これら無垢の天然木質床材からの水分の気化により反りやひび割れなどを発生し、これら床材が変質し、前記床材の品質の低下を招来させ、フローリングの美観を損なうだけでなく、場合によっては床材の交換を余儀なくされる事態もありうる。また、特に高価な無垢の天然木質床材を用いる場合には、建物としての資産価値について、その損失は、看過できない重大な問題となる虞もある。さらには、床材のささくれ等によって居住者が怪我をする危険さえ増大させる重大な問題を有している。
【００１０】
そこで、本願考案は、上記した事情に鑑み、床下空間を利用した冷暖房に起因して、床材を構成する無垢の天然木質床材の反り、ひび割れ、ささくれなどの発生の問題点を大幅に低減し、天然素材を用いることで、化学溶剤を含む合成床材を用いた時に問題となるハウスシック症候群を解消できる自然味あふれた快適な建物の床構造を提供することを目的とする。
【課題を解決するための手段】
【００１１】
上記の目的を達成するために、本考案の請求項１は、床材によって仕切られる床下空間に暖気又は冷気を送り込む空調機を有し、前記床下空間に流通する暖気又は冷気を前記床材に伝熱させ、該床材からの輻射熱を利用して前記室内空間を空調する空調装置を備えた建物の床構造であって、
前記床材は、無垢の天然木質床材で構成されているとともに、
前記床材の前記床下空間に臨む表面部分の全面に、乾燥防止層を形成したことを特徴とする。
【００１２】
本考案の請求項２は、請求項１の建物の床構造において、前記床材は、杉材、欅材、檜材、花梨材、胡桃材、楢材、樺材、桜材、椛材、楓材、ぶな材、栗材、桐材、チーク材、パイン材、ローズ材、タガヤサン材、ストロングウッド材、タモ材、パープルハート材、イペ材、セランガンバツ材、ピンカド材、及びケンパス材及びこれら床材に匹敵する木質を有する無垢の天然木質素材から選ばれた少なくとも一種類の床材若しくはこれらの組み合わせからなることを特徴とする。
【００１３】
本考案の請求項３は、請求項１又は請求項２の建物の床構造において、前記乾燥防止層は、ポリオレフィン系樹脂シート、塩化ビニル系樹脂シート、塩化ポリビニリデン系樹脂シート、アクリル系樹脂シート、天然または合成ゴムシートから選ばれた少なくとも一つのシートからなることを特徴とする。
【００１４】
本考案の請求項４は、請求項１又は請求項２の建物の床構造において、前記乾燥防止層は、エポキシ系やウレタン系などの液状の樹脂や合成ゴムなどを塗布または吹付けして成膜・硬化させてなる膜であることを特徴とする。
【００１５】
本考案の請求項５は、請求項１ないし請求項４のいずれかの建物の床構造において、前記空調機の暖冷気吹き出し口上位を中心とする周辺に位置する床下空間の前記乾燥防止層と共に断熱材が配置されていることを特徴とする。
【００１６】
本考案の請求項６は、床材によって仕切られる床下空間に暖気又は冷気を送り込む空調機を有し、前記床下空間に流通する暖気又は冷気を前記床材に伝熱させ、該床材からの輻射熱を利用して前記室内空間を空調する空調装置と、
前記床下空間の空気を室内空間へ移動させることにより空気の滞留し易い箇所を無くし、前記床下空間全体に暖気又は冷気を均一に行きわたらせ、床下空間の温度を円滑に均一にするために、前記床材に配設した開閉調整が可能な流動調整口と、
を備えた建物の床構造であって、
前記床材は、無垢の天然木質床材で構成されているとともに、
前記床材の前記床下空間に臨む表面部分の全面に、乾燥防止層を形成したことを特徴とする。
【００１７】
本考案の請求項７は、請求項６の建物の床構造において、前記床材は、杉材、欅材、檜材、花梨材、胡桃材、楢材、樺材、桜材、椛材、楓材、ぶな材、栗材、桐材、チーク材、パイン材、ローズ材、タガヤサン材、ストロングウッド材、タモ材、パープルハート材、イペ材、セランガンバツ材、ピンカド材、及びケンパス材及びこれら床材に匹敵する木質を有する無垢の天然木質素材から選ばれた少なくとも一種類の床材若しくはこれらの組み合わせからなることを特徴とする。
【００１８】
本考案の請求項８は、請求項６又は請求項７の建物の床構造において、前記乾燥防止層は、ポリオレフィン系樹脂シート、塩化ビニル系樹脂シート、塩化ポリビニリデン系樹脂シート、アクリル系樹脂シート、天然または合成ゴムシートから選ばれた少なくとも一つのシートからなることを特徴とする。
【００１９】
本考案の請求項９は、請求項６又は請求項７の建物の床構造において、前記乾燥防止層は、エポキシ系やウレタン系などの液状の樹脂や合成ゴムなどを塗布または吹付けして成膜・硬化させてなる膜であることを特徴とする。
【００２０】
本考案の請求項１０は、請求項６ないし請求項９のいずれかの建物の床構造において、前記空調機の暖冷気吹き出し口上位を中心とする周辺に位置する床下空間の前記乾燥防止層と共に断熱材が配置されていることを特徴とする。
【考案の効果】
【００２１】
上記請求項１の考案によれば、１つの空調機で空調された暖気又は冷気を建物の床下空間に流通させ、床材を暖め又は冷やして当該床材を介して１つ又は複数の室内に温熱又は冷熱を伝導、対流、輻射することで、室内の温度を調整することができる空調装置を設けた建物において、建物の床下空間に空調機で空調された暖気又は冷気を流通させても、床材の床下空間に臨む表面部分の全面に、乾燥防止層が形成されているので、その暖気又は冷気の流通によって無垢の天然木質床材内部に含まれる水分が奪われるのを防止できる。その結果、無垢の天然木質床材の反り、ひび割れ、ささくれなどの発生を大幅に低減することができる。即ち、各部屋に空調機をそれぞれ設けることなく少なくとも１つの空調機を使用することで、建物内部のすべての部屋を冷暖房することができる空調装置を設けた建物において、前記床材、すなわち無垢の天然木質床材の変質、例えば反り、ひび割れ、ささくれなどの発生を大幅に低減できるようになる。
【００２２】
上記請求項２の考案によれば、床材が、杉材、欅材、檜材、花梨材、胡桃材、楢材、樺材、桜材、椛材、楓材、ぶな材、栗材、桐材、チーク材、パイン材、ローズ材、タガヤサン材、ストロングウッド材、タモ材、パープルハート材、イペ材、セランガンバツ材、ピンカド材、及びケンパス材及びこれら床材に匹敵する木質を有する無垢の天然木質素材から選ばれた少なくとも一種類の床材若しくはこれらの組み合わせからなり、これらの無垢の天然木質床材に反り、ひび割れ、ささくれなどの発生を大幅に低減させることができるので、床面の美観が長期間に亘って保持でき、床材のささくれ等によって居住者が怪我をする危険を回避できる。
【００２３】
上記請求項３の考案によれば、前記乾燥防止層は、ポリオレフィン系樹脂シート、塩化ビニル系樹脂シート、塩化ポリビニリデン系樹脂シート、アクリル系樹脂シート、天然または合成ゴムシートから選ばれた少なくとも一つのシートからなるもので、十分な乾燥防止機構の効果が得られる。
【００２４】
上記請求項４の考案によれば、前記乾燥防止層は、エポキシ系やウレタン系などの液状の樹脂や合成ゴムなどを塗布または吹付けして成膜・硬化させてなる膜であるので、十分な乾燥防止機構の効果が得られる。
【００２５】
上記請求項５の考案によれば、前記空調機の暖冷気吹き出し口上位を中心とする周辺に位置する床下空間の前記乾燥防止層と共に断熱材が配置されているので、空調機の室内機から吹き出される暖気または冷気による熱が床材側に過度に伝わり、前記床材からの水分が気化され、前記床材の変質、例えば反ったり、ひび割れしたりする所謂木質床材の暴れを防ぎ、無垢の天然木質床材の長所を長期にわたり保つことができる。この断熱材によって前記空調機の暖冷気吹き出し口上部の床材が局所的に過度に熱くなったり、冷たくなったりすることを防ぎ、床材温度の均一化を図ることで、快適な空調を実施することができる。また、結果として床材の品質を均一に保ち、天然木質床材のみしか得られない審美性溢れる自然味が満喫できる快適な居住空間を創出することができる。
【００２６】
上記請求項６の考案によれば、床材に配設されている流動調整口により床下空間を流動する暖気又は冷気の流れを調整することができる空調装置を設けた建物において、建物の床下空間に１つの空調機で空調された暖気又は冷気を流通させても、床材の床下空間に臨む表面部分の全面に、乾燥防止層を形成してある。その結果、その暖気又は冷気の流通によって無垢の天然木質床材内部に含まれる水分が奪われるのを防止できる。これにより、無垢の天然木質床材の反りやひび割れ、ささくれなどの発生を大幅に低減することができる。即ち、空気の滞留し易い箇所を無くすことで床下空間の温度をほぼ均一にすることができる空調装置を設けた建物において、無垢の天然木質床材の反り、ひび割れ、ささくれなどの発生を大幅に低減できるようになる。
【００２７】
上記請求項７の考案によれば、床材が、杉材、欅材、檜材、花梨材、胡桃材、楢材、樺材、桜材、椛材、楓材、ぶな材、栗材、桐材、チーク材、パイン材、ローズ材、タガヤサン材、ストロングウッド材、タモ材、パープルハート材、イペ材、セランガンバツ材、ピンカド材、及びケンパス材及びこれら床材に匹敵する木質を有する無垢の天然木質素材から選ばれた少なくとも一種類の床材若しくはこれらの組み合わせからなり、これらの無垢の天然木質床材に反り、ひび割れ、ささくれなどの発生を大幅に低減させることができるので、床面の美観が長期間に亘って保持でき、床材のささくれ等によって居住者が怪我をする危険を回避できる。
【００２８】
上記請求項８の考案によれば、前記乾燥防止層は、ポリオレフィン系樹脂シート、塩化ビニル系樹脂シート、塩化ポリビニリデン系樹脂シート、アクリル系樹脂シート、天然または合成ゴムシートから選ばれた少なくとも一つのシートからなるもので、十分な乾燥防止機構の効果が得られる。
【００２９】
上記請求項９の考案によれば、前記乾燥防止層は、エポキシ系やウレタン系などの液状の樹脂や合成ゴムなどを塗布または吹付けして成膜・硬化させてなる膜であるので、十分な乾燥防止機構の効果が得られる。
【００３０】
上記請求項１０の考案によれば、前記空調機の暖冷気吹き出し口上位を中心とする周辺に位置する床下空間の前記乾燥防止層と共に断熱材が配置されているので、空調機の室内機から吹き出される暖気または冷気による熱が床材側に過度に伝わり、前記床材からの水分が気化され、前記床材の変質、例えば反ったり、ひび割れしたりする所謂木質床材の暴れを防ぎ、無垢の天然木質床材の長所を長期にわたり保つことができる。この断熱材によって前記空調機の暖冷気吹き出し口上部の床材が局所的に過度に熱くなったり、冷たくなったりすることを防ぎ、床材温度の均一化を図ることで、快適な空調を実施することができる。また、結果として床材の品質を均一に保ち、天然木質床材のみしか得られない審美性溢れる自然味が満喫できる快適な居住空間を創出することができる。
【図面の簡単な説明】
【００３１】
【図１】本考案に係る、空調装置を備えた建物の床構造の第一実施形態を示す概略説明図である。
【図２】本考案に係る、建物の床構造に備える空調装置の暖気又は冷気の流量を調節するための開閉部材の一例を示す概略斜視図である。
【図３】本考案に係る、建物の床構造に備える空調装置の暖気又は冷気の流量を調節するための開閉部材の他の例を示す概略斜視図である。
【図４】本考案に係る、建物の床構造に備える空調装置の分流手段として、例えば切替弁を用いる例を示す要部の概略断面図である。
【図５】本考案に係る、空調装置を備えた建物の床構造の第二実施形態を示す概略説明図である。
【考案を実施するための形態】
【００３２】
以下、本考案の実施形態について添付図面を参照しながら説明する。
【実施例１】
【００３３】
図１は、本考案の第一実施形態を示す概略説明図である。図中、１は基礎、２は外壁であり、床材３（又は床材３を張って形成した床）と基礎１とにより挟まれた領域に床下空間４が設けられ、内壁５又は間仕切りにより複数（図示の例では３つ）の部屋Ａ、Ｂ、Ｃが形成されている。又、床下空間４の底部の上面には断熱材６が敷設されると共に、側部の内面にも断熱材６が取り付けられ、更にほぼ居住空間全体が断熱材７により囲まれている。さらに、床材３の、床下空間４に臨む下面には、詳細は後述するが、全面に亘って乾燥防止層５０が形成されているとともに、後述する空調機８の室内機８Ｂと乾燥防止層５０との間には、断熱材６０が介装されている。
尚、各部屋Ａ、Ｂ、Ｃの天井材や床材３の支持構造、屋根等は図示されていない。
【００３４】
８は空調機であり、建物の外部に設置される室外機８Ａと、建物の内部に取り付けられる室内機８Ｂとから構成されている。室内機８Ｂには、床下空間４に暖気又は冷気を吹き出す吹出口９と、室内側から空気を吸い込む吸込口１０とを備えている。１１は空調機８のコントローラであり、この場合は前記部屋Ａ内の内壁（図略）面に取り付けられている。
【００３５】
前記床材３は、無垢の天然木質床材で構成されており、この無垢の天然木質床材としては、杉材、欅材、檜材、花梨材、胡桃材、楢材、樺材、桜材、椛材、楓材、ぶな材、タモ材、パープルハート材、イペ材、セランガンバツ材、ピンカド材、ケンパス材の何れか、若しくはこれらの組み合わせからなるものであるが、特にこの考案では、前記床材と同等の品質をもつ無垢の天然木質床材であればよく、前記列記した床材に限定されるものではない。
【００３６】
床材３には、１つ又は複数の流動調整口１２が設けられる。図示の例では、床下空間４における室内機８Ｂと反対側の隅部に位置させて、前記部屋Ｃの床材部分に流動調整口１２が１つ設けられているがこれに限定されない。この流動調整口１２は、床下空間４内の暖気又は冷気の一部を室内側（ここでは部屋Ｃ）に移動させることにより、床下空間４内の暖気又は冷気に流動を生じさせて床下空間４の隅部まで十分に行き渡らせるためのものである。これにより、床下空間４の温度をほぼ均一にすることができる。尚、図１の部屋Ｂの床材３のように、このような流動調整口１２を設けないで実施する場合もある。
【００３７】
又、流動調整口１２は、暖気又は冷気の流量を調節するための開閉部材を取り付けることが好ましい。この開閉部材としては、例えば図２に示すように枠体１３ａと、この枠体１３ａの内側に回転可能に並設された複数のルーバー板１３ｂからなる開閉部材１３を用いることができるが、これに限定されない。当該開閉部材１３は、複数のルーバー板１３ｂの開き角度を変えることで、枠体１３ａの開口面積を全閉〜全開の範囲内で自由に調節することができる。これにより、前記流動調整口１２を通る暖気又は冷気の流量調節が可能となる。
【００３８】
上記開閉部材としては、例えば図３に示すように固定円板１４ａと、この固定円板１４ａに対して同軸に枢支された回転円板１４ｂとからなる開閉部材１４を用いることもできる。当該開閉部材１４は、下側の固定円板１４ａの円周方向に複数個形成された扇形孔１４ｃに対して、上側の回転円板１４ｂの円周方向に複数個形成された扇形孔１４ｄの位置を変えることで、固定円板１４ａの扇形孔１４ｃを全閉〜全開の範囲内で自由に調節することができる。これにより、前記流動調整口１２を通る暖気又は冷気の流量調節が可能となる。
【００３９】
また、床材３の下面である、床下空間に臨む下面には、図１に示すように、全面に乾燥防止層５０を形成してある。この乾燥防止層５０は、この乾燥防止層５０で覆われた無垢の天然木質床材が設置される部分の湿度を保持することによって、床材３を構成する無垢の天然木質床材が室内機８Ｂから吹き出す空気の流れなどでその内部に含まれる水分が過剰に奪われて、反り、ひび割れ、ささくれなどが発生するのを大幅に低減するものである。
【００４０】
前記乾燥防止層５０には、ポリオレフィン系樹脂シート、塩化ビニル系樹脂シート、塩化ポリビニリデン系樹脂シート、アクリル系樹脂シート、天然または合成ゴムシートなどから選ばれた少なくとも一つのシートなどが用いられているが、この考案においては特にこれらのものに限定されるものではない。すなわち、前記乾燥防止層５０は、エポキシ系やウレタン系などの液状の樹脂や合成ゴムなどを刷毛やローラーで塗布するか、吹付機により吹付けて成膜・硬化させることによってなる膜であってもよい。この場合にはウレタンゴム系、アクリルゴム系、クロロプレン系、ゴムアスファルト系、ＦＲＰ系などから選ばれた少なくとも一つの塗料が用いられるが、この考案においては特にこれらのものに限定されるものではない。
【００４１】
前記乾燥防止層５０は、前記のように無垢の天然木質床材と床下空間との間に形成する必要があるが、下地材や断熱材の有無によっては、下記のような構造となる。
【００４２】
【表１】
0003155690.tif 000003
【００４３】
【表２】
0003155690.tif 000004
【００４４】
さらに、室内機８Ｂと、床材３の下面に取り付けられた乾燥防止層５０との間には、断熱材６０が敷設されている。この断熱材６０には、発泡材、例えばポリウレタン系の発泡体などが用いられている。従って、この断熱材６０により、室内機８Ｂの暖冷気吹き出し口付近の床材が局所的に過度に熱くなったり冷たくなったりすることを防ぎ、床材温度の均一化を図り、快適な居住空間を提供することができる。
このように構成された第一実施形態においては、前記コントローラ１１により空調機８を作動させると、例えば暖房モード時には室内機８Ｂの吹出口９から床下空間４に暖気が吹き込まれる。この時、前記コントローラ１１により所望の暖房温度を設定することができる。
【００４５】
床下空間４に吹き込まれた暖気により、床下空間４内は徐々に加温されて温度が上昇すると共に、床材３に伝熱して当該床材３の温度を上昇させる。床材３を十分暖めた後に、例えば前記開閉部材１３を僅かに開くと、床下空間４内の暖気の一部が流動調整口１２を通過して部屋Ｃ側に流動する。このため、床下空間４内で緩やかに流動が生じて、床下空間４内の隅部に至るまで暖気が十分に到達する。これにより、床下空間４内の温度をほぼ均一にすることができる。尚、開閉部材１３は、床下空間４に暖気を吹き込む前に下流側のものは開いておき、途中のものは適宜開くようにしても良い。
【００４６】
床下空間４の暖気により温められた床材３は、その輻射熱を輻射して部屋Ａ、Ｂ、Ｃを温める。前記のように床下空間４内は暖気の流動により温度がほぼ均一に保持されるため、床材３からの輻射熱量は全面に渡ってほぼ等しくなる。
【００４７】
前記流動調整口１２を通過して部屋Ｃ側に流動した暖気は、当該部屋Ｃ内に留まらずに例えばドア下やガラリ、欄間等の隙間を抜けて隣接する部屋Ｂ内に流入し、更にその隣の部屋Ａにも流入する。このため、床下空間４から移動した一部の暖気が、順次各部屋Ａ、Ｂ、Ｃ内を流動する。そして、部屋Ａにおいて、暖気は前記吸込口１０に吸い込まれる。
この結果、床下空間４の暖気は各部屋を流動しながら循環することとなり、室内機８Ｂから床下空間４への暖気の吹き出しが円滑となる。
【００４８】
各部屋Ａ、Ｂ、Ｃを流動する暖気は、極めて緩慢な速度であって肌で風を感じない程度であるため、従来のように各部屋別に付けた室内機からファンによって強制的に吹き出される暖気とは異なる。
【００４９】
各部屋Ａ、Ｂ、Ｃの床は床暖房の効果も得られる。このため、床暖房装置を設備する必要がないので、設備投資が安く済みしかもランニングコストも安価になる。又、足元から暖かいので空調機８の設定温度が低めでも十分満足な暖房が得られ、省エネルギーに寄与することができる。
【００５０】
従来方式の暖房時での効率の悪さは、床付近と天井付近で温度差が３℃〜５℃程度生じることであった。しかしながら、本実施形態によると、床付近と天井付近の温度差が１℃未満であり、暖房の効率が非常に優れていることが判明した。しかも、この時の建物の天井高は通常よりも高く、且つ天井にはシーリングファンが無い状態であった。
【００５１】
以上は暖房モードの場合に付いての説明であるが、冷房モードの場合も同様の要領で実施することが可能である。
【実施例２】
【００５２】
次に、本考案の他の実施形態を添付図面に基づいて説明する。図４及び図５は、本考案の第二実施形態を示す概略説明図である。図中、２１は戸建ての建物（２階建て）における１階の床下空間であり、前記と同様に床材２２（詳しくは床材２２を張って形成した床）と基礎２３とにより挟まれた領域によって形成され、当該領域の下方の基礎２３の上面には断熱材２４が敷設されている。
【００５３】
前記床材２２の要所には複数の流動調整口２５が設けられ、図示は省略したがこれらの流動調整口２５には前記開閉部材１３（又は開閉部材１４）がそれぞれ取り付けられている。又、内壁２６又は間仕切りにより複数（図示の例では３つ）の部屋Ｄ、Ｅ、Ｆが形成されている。尚、前記と同様に外壁２７の内側には断熱材（図略）が取り付けられている。尚、２８は１階の天井材である。
【００５４】
２９は２階の床下空間であり、床材３０（又は床材３０を張って形成した床）と前記１階の天井材２８とにより挟まれた領域によって形成され、当該領域の下方の１階の天井裏には断熱材３１が敷設されている。
【００５５】
この戸建ての建物（２階建て）でも、図４及び図５に示すように、１階部分の床材２２が無垢の天然木質床材で構成されている。なお、この床材２２の、床下空間２１に臨む下面の全面にも、第一実施形態の床材３の場合と同様の乾燥防止層５０が取り付けられている。
【００５６】
さらに、この戸建ての建物の２階部分でも、図５に示すように、床材３０にも、分流手段３８を介して空調機３４からの暖気又は冷気が送り込まれる２階の床下空間２９に臨む下面に、一階の床材２２と同様の乾燥防止層５０が取り付けられている。
【００５７】
前記２階の床材３０においても要所に複数の流動調整口３２が設けられ、図示は省略したがこれらの流動調整口３２には前記開閉部材１３（又は開閉部材１４）がそれぞれ取り付けられている。又、内壁３３又は間仕切りにより複数（図示の例では３つ）の部屋Ｇ、Ｈ、Ｉが形成されている。
【００５８】
３４は空調機であり、室外機３４Ａと室内機３４Ｂとから構成され、室内機３４Ｂは、暖気又は冷気を吹き出す吹出口３５と、室内側から空気を吸い込む吸込口３６とを備えている。そして、室内機３４Ｂの吹出口３５から吹き出される暖気又は冷気は、建物内に設けられた送気路３７により１階の床下空間２１と、２階の床下空間２９とに吹き込まれる。この場合、空調機３４を制御するコントローラは図示されていない。尚、送気路３７は階段に形成される空間を利用することができる。
【００５９】
３８は分流手段であり、前記送気路３７内の下端部に設けて吹出口３５に対向させてある。この分流手段３８としては、例えば図４に示すように切替弁を用いることができるが、これに限定されない。この場合、分流手段３８を実線の位置に切り替えると、吹出口３５から吹き出される暖気又は冷気を誘導して１階の床下空間２１に吹き込むことができ、仮想線（二点鎖線）の位置に切り替えると、吹出口３５から吹き出される暖気又は冷気を送気路３７に誘導して前記２階の床下空間２９に吹き込むことができる。更に、実線の位置と仮想線の位置との間の領域に分流手段３８を切り替えると、吹出口３５から吹き出される暖気又は冷気を１階の床下空間２１と２階の床下空間２９との両方に分けて吹き込むことができ、しかもその吹き込み量の割合を変化させることができる。３９は分流手段３８の切り替え操作をするための制御手段である。
【００６０】
図４、図５において、４０は建物の内部に設けられた換気路であり、下端部は前記室内機３４Ｂの吸込口３６に連通し、上端部は前記２階の部屋Ｇに開口する流入口４０ａが設けられている。４１は２階の天井材である。
【００６１】
このように構成された第二実施形態においては、図示を省略したコントローラにより空調機３４を作動させると、例えば暖房モード時には室内機３４Ｂの吹出口３５から１階の床下空間２１に暖気が吹き込まれる。この時、前記分流手段３８は前記実線の位置に切り替えられている。当該暖房モード時において、前記コントローラに所望の暖房温度を設定することができる。
【００６２】
１階の床下空間２１に吹き込まれた暖気により、１階の床下空間２１内の空気は徐々に加温されて温度が上昇すると共に、床材２２に伝熱して当該床材２２の温度を上昇させる。そして、前記開閉部材１３（又は開閉部材１４）を適度に開くと、１階の床下空間２１内の暖気の一部が流動調整口２５を通過して部屋Ｄ、Ｅ、Ｆにそれぞれ流動する。このため、１階の床下空間２１内で緩やかに暖気の流動が生じ、１階の床下空間２１内の隅部にまで暖気が十分に到達する。これにより、１階の床下空間２１内の温度をほぼ均一にすることができる。
【００６３】
１階の床下空間２１の暖気により温められた床材２２は、その輻射熱を輻射して各部屋Ｄ、Ｅ、Ｆを温める。前記のように１階の床下空間２１内は暖気の流動により温度がほぼ均一に保持されるため、床材２２の全面から輻射される熱量はほぼ均等となる。これにより、各部屋Ｄ、Ｅ、Ｆへの熱量にムラが生じない。
【００６４】
前記流動調整口２５を通過して部屋側に流動した暖気は、各部屋内に留まらずに例えばドア下やガラリ、欄間等の隙間を抜けて隣接する部屋内に流入し、更に廊下や階段等に移動する。又、一部の暖気は階段等の空間を通って２階まで移動し、当該２階の居住空間をある程度暖房した後に前記流入口４０ａから換気路４０内に流入する。換気路４０内に流入した暖気は、前記吸込口３６から室内機３４Ｂに吸引される。このようにして、１階の床下空間２１及び２階の床下空間２９の暖気は、１階及び２階の居住空間を流動しながら循環するため、室内機３４Ｂから１階の床下空間２１への暖気の吹き出しが円滑となる。
【００６５】
特に、２階を暖房したい場合には、前記分流手段３８を仮想線の位置に切り替える。これにより、室内機３４Ｂ吹出口３５から吹き出される暖気は、１階の床下空間２１側へは行かずに送気路３７側に流入し、当該送気路３７によって誘導されて２階の床下空間２９内に吹き込まれる。
【００６６】
２階の床下空間２９に吹き込まれた暖気により、２階の床下空間２９内の空気は徐々に加温されて温度が上昇すると共に、床材３０に伝熱して当該床材３０の温度を上昇させる。この時、前記開閉部材１３（又は開閉部材１４）を僅かに開くと、２階の床下空間２９内の暖気の一部が流動調整口３２を通過して部屋Ｇ、Ｈ、Ｉにそれぞれ流動する。このため、２階の床下空間２９内で緩やかに暖気の流動が生じ、隅部にまで暖気が十分に到達する。これにより、２階の床下空間２９内の温度をほぼ均一にすることができる。
【００６７】
２階の床下空間２９の暖気により温められた床材３０は、その温熱を放射、対流して部屋Ｇ、Ｈ、Ｉを温める。前記のように２階の床下空間２９内は暖気の流動により温度がほぼ均一に保持されるため、床材３０の全面から輻射される熱量はほぼ均等となる。これにより、各部屋Ｇ、Ｈ、Ｉへの熱量にムラが生じない。
【００６８】
前記流動調整口３２を通過して部屋側に流動した暖気は、各部屋内に留まらずに例えばドア下やガラリ、欄間等の隙間を抜けて隣接する部屋内に流入して移動する。そして、各部屋を暖房した後に、前記流入口４０ａから換気路４０内に流入し、前記吸込口３６から室内機３４Ｂに吸引される。このようにして、２階の床下空間２９の暖気は、２階の居住空間を流動しながら循環するため、室内機３４Ｂから２階の床下空間２９への暖気の吹き出しが円滑となる。
【００６９】
一方、１階と２階とを同時に暖房したい場合には、前記分流手段３８を実線の位置と仮想線の位置との中間位置に切り替える。これにより、室内機３４Ｂの吹出口３５から吹き出される暖気は、１階の床下空間２１側へ流れるものと、送気路３７を介して２階の床下空間２９側へ流れるものとに分流される。この時、分流手段３８の切り替え位置を変えることで、１階の床下空間２１側への流量と、２階の床下空間２９側への流量との割合を微調整することができる。
【００７０】
以上は暖房モードの場合に付いての説明であるが、冷房モードの場合も同様の要領で実施することが可能である。又、上記第二実施形態は２階建ての場合であるが、本考案はそれに限定されずに３階以上の建物や地下階のある建物にも適用することが可能である。
【００７１】
３階以上の建物の場合には、図示は省略したが１階の床下空間からｎ階（ｎ≧２）の床下空間まで連通する送気路に分流手段を配設し、この分流手段によりｎ階までの任意の階の床下空間に暖気又は冷気を送り込めるように構成する。このような構成により、例えビル等の建物であっても階数に関係なく十分適用することができる。
【００７２】
本考案によれば、少なくとも１つの空調機で複数の部屋を効率良く冷暖房することができる空調装置を備えた建物において、空調機で空調された暖気又は冷気を流通させても、床材の床下空間に臨む表面部分の全面に、乾燥防止層を取り付けてあるので、その暖気又は冷気の流通によって床材を構成する無垢の天然木質床材の内部に含まれる水分が奪われるのを防止できる。
また、本考案によれば、従来に比して２０％程度の設備費で実現することができるセントラル方式の空調装置を備えた建物において、床材を構成する無垢の天然木質床材の内部に含まれる水分が奪われるのを防止できる。これにより、床面の美観が長期間に亘って保持できるようになるので、建物自体の資産価値も頗る向上する。
【産業上の利用可能性】
【００７３】
本考案は、少なくとも１つの空調機と床下空間を使用することで、建物内部のすべての部屋を効率良く冷暖房できるようにした空調装置を備えた建物において、空調機から送り込まれる暖気又は冷気などによって、床材に用いた無垢の天然木質床材に反り、ひび割れ、ささくれなどの発生を大幅に低減できる床構造として有効利用することができる。
【符号の説明】
【００７４】
１  基礎
３  床材
４  床下空間
５  内壁
６、７  断熱材
８  空調機
８Ａ  室外機
８Ｂ  室内機
９    吹出口
１０  吸込口
１２  流動調整口
１３、１４  開閉部材
２１  １階の床下空間
２２  床材
２３  基礎
２４  断熱材
２５  流動調整口
２８  １階の天井材
２９  ２階の床下空間
３０  床材
３１  断熱材
３２  流動調整口
３４  空調機
３５  吹出口
３６  吸込口
３７  送気路
３８  分流手段
３９  制御手段
４０  換気路
４１  ２階の天井材
５０  乾燥防止層
６０  断熱材
【図１】
0003155690.tif 000005
【図２】
0003155690.tif 000006
【図３】
0003155690.tif 000007
【図４】
0003155690.tif 000008
【図５】
0003155690.tif 000009